(57)【特許請求の範囲】
【請求項１】
位置決め穴が形成された外殻部材を有する記録媒体を使用するとともに、記録再生装置本体に対して所定角度開成可能とされた記録媒体保持部材が設けられる一方、上記、記録媒体保持部材の内面に臨んで突出し、記録媒体保持部材が閉成されたときに記録媒体を記録媒体の厚み方向に押圧する付勢手段が設けられており、記録媒体保持部材を所定角度開成した挿入可能位置において、上記記録媒体が挿入可能となり、また、記録媒体が記録媒体保持部材に挿入されているとき、上記記録媒体保持部材の閉成によって、記録再生装置本体側に移動不可能に設けられた位置決め部材に上記位置決め穴が嵌入し、記録媒体が所定の記録再生位置に位置決め装填される記録再生装置において、
上記挿入可能位置において、位置決め部材の先端が記録媒体保持部材の内面に突出状態にあり、かつ、上記記録媒体保持部材は記録媒体の厚み方向に対して、少なくとも上記位置決め部材先端の記録媒体保持部材の内面からの突出高さよりも大きな遊びを有するとともに、上記付勢手段の記録媒体への当接部と対向する記録媒体保持部材の内面との最短距離が、挿入される記録媒体の厚みよりも大きく、かつ、記録媒体の厚みと上記突出高さとの和より小さくなるように設定され、上記記録媒体保持部材への記録媒体の挿入過程にて、記録媒体が上記位置決め部材の先端に乗り上げているときには、上記付勢手段の当接部が記録媒体を押圧していることを特徴とする記録再生装置。
【請求項２】
記録媒体保持部材の開成を行うエジェクト手段が設けられるとともに、上記エジェクト手段の操作に連動して、上記最短距離が記録媒体の厚みと上記突出高さとの和より大きくなるように、上記当接部を移動させる押圧阻止手段が設けられていることを特徴とする請求項１に記載の記録再生装置。
【請求項３】
上記記録媒体保持部材が連動して開成するように蓋体を設け、
該蓋体には、上記記録媒体を取り出す場合に、該記録媒体を掴みやすくするための切欠部が形成されていることを特徴とする請求項１または２記載の記録再生装置。
【発明の詳細な説明】
【０００１】
【発明の属する技術分野】
本発明は、例えばミニディスクのように硬い外殻内に光磁気ディスクや光ディスク等を格納した記録媒体を記録再生装置に装填するための記録再生装置に関するものである。
【０００２】
【従来の技術】
現在、例えば、ミニディスク（以下、ＭＤと称する）と呼ばれる硬い外殻（以下シェルと称する）内に光磁気ディスクや光ディスクを格納する形態の記録媒体があるが、このＭＤは、シェル内に格納されていることから取扱が簡便で、また情報を安定的に保持できることから、近年になって急速に普及している。
このＭＤを記録再生装置に装填する機構の一つに、いわゆるトップローディング機構と呼ばれるものがある。上記トップローディング機構は、記録再生装置のある面に所定の角度開成するように蓋体を設け、その開成部分からＭＤを挿入し、蓋体を閉める動作によってＭＤが記録再生位置に装填されるものである。
【０００３】
以下、従来の記録再生装置で採用されている上記トップローディング機構とその動作を説明するが、その前に、上記トップローディング機構の動作を説明する上で必要なＭＤ側の構成について簡単に説明しておく。
本発明の説明図でもある図１４および図１５に示すＭＤ３０は、再生専用のＭＤであり、略直方体形状のシェル３１に光磁気ディスク３４が格納されている。上記のシェル３１には、記録再生装置においてＭＤ３０を記録再生位置に保持するために真円状のガイド穴３３ａと長円状のガイド穴３３ｂとが設けられている。また、このＭＤ３０は、記録再生装置に対して、通常矢印Ｐ方向に挿入するように決められている。
【０００４】
上記ＭＤ３０の構成を前提として、まず、従来の記録再生装置４０におけるトップローディング機構回りの構成と動作とを図１６ないし図２１に基づいて説明する。
図１６（ａ)(ｂ）に示す記録再生装置４０は携帯用のものであるが、上記のようにトップローディング機構を有しており、その外観は、キャビネット４２の開口部４２ａにホルダー４４が吊持された蓋体４３が回動可能に設けられている。
【０００５】
なお、図１６に示すように、記録再生装置４０に対して、記録再生位置に装填されているときのＭＤ３０の挿入方向先端側を矢印Ａ方向、後端側を矢印Ｂ方向とし、記録再生装置４０の矢印Ｂ方向側を正面、矢印Ａ方向側を背面と定義する。また、矢印Ａ−Ｂ方向に直行するとともに、ＭＤ３０のディスク面に直行する方向であって、蓋体４３が設けられている側を矢印Ｃ方向、その逆方向を矢印Ｄ方向とし、このとき、記録再生装置４０の矢印Ｃ方向側を上面、矢印Ｄ方向側を下面を定義する。さらに、矢印ＡＢ方向と矢印ＣＤ方向とに直行するとともに、上面を上にして正面側から見て左側方向を矢印Ｅ方向、右側を矢印Ｆ方向とし、このとき、記録再生装置４０の矢印Ｅ方向側を左側面、矢印Ｄ方向側を右側面と定義する。また回転方向については、上記上面側から見て、矢印Ｃ−Ｄ方向を軸として、右回り方向を矢印Ｇ方向、左回り方向を矢印Ｈ方向とし、上記右側面側からみて、矢印Ｅ−Ｆ方向を軸として、右回り方向を矢印Ｉ方向、左回り方向を矢印Ｊ方向とする。
【０００６】
また、図１６（ｂ）および図１７に示すように、開成の状態に係わらずホルダー４４を基準とした矢印Ａ′Ｂ′Ｃ′Ｄ′Ｇ′Ｈ′方向を定義しておく。これらの方向は、ＭＤ３０が記録再生位置にあるときにはそれぞれ矢印ＡＢＣＤＧＨ方向に一致する方向である。
【０００７】
まず、図１７に示すように蓋体４３がキャビネット４２に対して、矢印Ｉ方向に最大限開成状態にある、つまり、ホルダー４４がＭＤ３０の挿入可能位置にあるとき、図１８に示すように、ＭＤ３０をホルダー４４に挿入すると、ＭＤ３０はホルダー４４の内部を矢印Ａ′方向に移動する。そして、蹴出レバー４５の先端部４５ａにＭＤ３０が当接する。
この蹴出レバー４５は、回動軸４５ｂを中心として矢印Ｇ′−Ｈ′方向に回動可能とされるとともに、スプリング４６によって矢印Ｇ′方向に付勢を受けているが、先端部４５ａにＭＤ３０が当接した後もさらに、矢印Ａ′方向へＭＤ３０の挿入を継続すると、スプリング４６の付勢力に抗して、蹴出レバー４５が矢印Ｈ′方向に回動することになる。
【０００８】
一方、蹴出レバー４５の曲部４５ｃは、蹴出レバー４５の矢印Ｈ′方向への回動により、ロックレバー４７の外形４７ａに当接する。このロックレバー４７は、回動軸４７ｂを中心として矢印Ｇ′−Ｈ′方向に回動可能とされるとともに、スプリング４８によって矢印Ｇ′方向に付勢を受けている。したがって、曲部４５ｃが外形４７ａに当接しつつ矢印Ｈ′方向に回動することにより、ロックレバー４７はスプリング４８の付勢力に抗して矢印Ｈ′方向に回動する。
【０００９】
そして、ＭＤ３０がホルダー４４内に完全に挿入されたとき、図１９に示すように、蹴出レバー４５の曲部４５ｃがロックレバー４７の外形４７ａから外れることにより、ロックレバー４７がスプリング４８の付勢力によって矢印Ｇ′方向へ回動し、その曲部４７ｄがホルダー４４の穴端面４４ａに当接することにより係止されている。この結果、蹴出レバー４５の曲部４５ｃとロックレバー４７の外形４７ｃとが当接し、蹴出レバー４５のスプリング４６による矢印Ｇ′方向への回動が係止された状態にある。
【００１０】
ところで、蓋体４３が図１７に示す開成状態にあるとき、蓋体４３の吊上部４３ｂによって、ホルダー４４の曲部４４ｂが矢印Ｉ方向に吊持されるとともに、蓋体４３側に設けられた図示しない付勢手段によってホルダー４４を矢印Ｊ方向に押圧することにより、蓋体４３に対するホルダー４４の遊びが排除され、また、ＭＤ３０のホルダー４４への挿入完了時には、ホルダー４４の突起部４４ｃが矢印Ｃ′方向にＭＤ３０と僅かな隙間をもって位置するとともに、板バネ４９の突起部４９ａが矢印Ｄ′方向にＭＤ３０を押圧する一方、基台５０上に設けられ、前記ＭＤ３０のガイド穴３３ｂに嵌入するガイドピン５０ａはＭＤ３０の上記挿入動作を阻止しないような位置および形状に設けられている。
【００１１】
また、図１９ないし図２１に示すように、ホルダー４４の右側面側には、ガイド４４ｃ・４４ｃとガイドスリット５２ｂ・５２ｂとによってホルダー４４に対して、矢印Ａ′−Ｂ′方向にスライド可能とされたスライドレバー５２が設けられるとともに、このスライドレバー５２に設けられた支点５２ａと基台５０の矢印Ｂ方向側に設けられた回動軸５０ａとを連結する回転レバー５３が設けられている。そして、ホルダー４４の矢印Ｉ方向への開成状態においては、スライドレバー５２が、ホルダー４４に対して最も矢印Ｂ′方向側に位置するとともに、回転レバー５３は基台５０の回動軸５０ａを中心に矢印Ｊ方向に回動した位置にある。また、ホルダー４４の突起部４４ｄは矢印Ｄ′方向にＭＤ３０の外形と僅かな隙間をもって位置するとともに、板バネ５４の突起部５４ａは矢印Ｄ′方向にＭＤ３０の外形を押圧している。
【００１２】
続いて、ＭＤ３０を記録再生装置４０における記録再生位置に装填する時の動作について以下に説明する。
図１７および図１８に示すホルダー４４の開成状態から、蓋体４３を矢印Ｊ方向に押圧すると、図示しない付勢手段による矢印Ｉ方向の付勢力に抗して蓋体４３が矢印Ｊ方向に回動し、また、この回動に伴ってホルダー４４は回動軸４４ｅを中心に矢印Ｊ方向に回動する。このとき、図２０に示すスライドレバー５２の支点５２ａはホルダー４４とともに矢印Ｊ方向に回動する。これにより、回転レバー５３は前記支点５２ａを中心に矢印Ｉ方向に回動し、スライドレバー５２がホルダー４４に対して矢印Ａ′方向に移動する（図２１）。
【００１３】
スライドレバー５２には図２０に示すように、矢印Ｄ′方向にピン５２ｃが突出して設けられ、また、図２２および図２３に示すように、上記ピン５２ｃとロックレバー４７の腕部４７ｅとは当接可能に設けられているが、腕部４７ｅの構成によって、ピン５２ｃの矢印Ｂ′方向への移動時のみロックレバー４７が矢印Ｈ′方向に回動するようになっている。すなわち、ピン５２ｃが矢印Ａ′方向に移動するときには、ロックレバー４７の曲部４７ｆに当接する。しかし、この曲部４７ｆは、ピン５２ｃの移動方向に対して斜面状に形成されているため（図２３）、上記当接によって腕部４７ｅが矢印Ｃ′方向に撓み（図２３（ａ））、さらにピン５２ｃが矢印Ａ′方向に移動することになる。
【００１４】
そして、ピン５２ｃが腕部４７ｅを通りすぎると、腕部４７ｅの矢印Ｃ′方向への撓みが解消されて、ピン５２ｃは図２４に示す位置にくる。このとき、図２５に示すように、キャビネット４２に対して蓋体４３が閉成状態にあるときには、蓋体４３側に設けられた図示しない付勢手段によってホルダー４４は矢印Ｄ方向に押され、ホルダー４４の突起部４４ｄが矢印Ｄ方向にＭＤ３０を押圧し、板バネ４９の突起部４９ａが矢印Ｄ方向にＭＤ３０を押圧し、前記ガイドピン５１にＭＤ３０のガイド穴３３ａが挿入され、ガイドピン５１の座５１ａにＭＤ３０が乗り、同じく、基台５０上に設けられたガイドピン５５にＭＤ３０のガイド穴３３ｂが挿入される一方、ガイドピン５５の座５５ａにＭＤ３０が乗ることにより、ＭＤ３０のディスク本体（図示せず）がターンテーブル５６に駆動可能にクランプされている。
【００１５】
また、このとき、図２１に示すように、スライドレバー５２は、ホルダー４４の面に沿って矢印Ａ′方向に移動完了し、ホルダー４４の突起部４４ｄが矢印Ｄ方向にＭＤ３０を押圧し、板バネ５４の突起部５４ａが矢印Ｄ方向にＭＤ３０を押圧し、基台５０上に設けられた受部５０ｂ・５０ｂにＭＤ３０が乗っている。これにより、ＭＤ３０は、基台５０に対して所定の記録再生位置に保持されることになる。
【００１６】
逆に、上記記録再生位置から、図示しないエジェクト操作が行われたときの動作について以下に説明する。
図２５に示すように、ホルダー４４が記録再生位置にある状態から、蓋体４３はエジェクト操作によって、図示しないロック機構が解除され、図示しない復帰バネによって矢印Ｉ方向に開成し、図１７に示す挿入可能位置に復帰するとともに、ホルダー４４は図２１から図２０の状態に開成する。その過程において、図２２（ｂ）および図２３（ｂ）に示すように、スライドレバー５２はホルダー４４に対して矢印Ｂ′方向に移動し、ピン５２ｃはロックレバー４７の外形４７ｇに当接する。
【００１７】
このピン５２ｃと外形４７ｇとの当接によって、ロックレバー４７は回動軸４７ｂを中心として矢印Ｈ′方向に回動する。この回動によって、ロックレバー４７の外形４７ｃによる蹴出レバー４５の曲部４５ｃの保持状態が解除され、図１８に示すように回動軸４５ｂを中心として蹴出レバー４５が前記スプリング４６の付勢力によって矢印Ｇ′方向に回動し、先端部４５ａに当接していたＭＤ３０が矢印Ｂ′方向に突出する。
以上のようにして、記録再生装置４０に対するＭＤ３０の装填・取出を行うことができる。
【００１８】
【発明が解決しようとする課題】
上記のような記録再生装置４０においては、ユーザに対して、ＭＤ３０がホルダー４４に完全に装着されたことを知らせるために、図１９におけるＭＤ３０の挿入完了位置において、スプリング４８によってロックレバー４７を矢印Ｇ′方向へ復帰させた時のロックレバー４７の曲部４７ｄとホルダー４４の穴端面４４ａとの衝突音、もしくは衝突によって発生した振動を利用しているが、ＭＤ３０の装填機構との兼ね合いとはいえ、蹴出レバー４５やロックレバー４７などの複雑な構成を有しているため、コストアップの要因となり、また、より一層の小型化への障害にもなっている。
【００１９】
また、図１７に示すように、ＭＤ３０の挿入完了状態で、かつ、蓋体４３がまだ開成状態にあるときに、記録再生装置４０の姿勢が何らかの要因で変わることがある。例えば、上記のような携帯用の記録再生装置４０の場合には起こり得ることであるが、上記ホルダー４４において矢印Ｂ′方向が下方向となった時に、ＭＤ３０の落下を防止する必要があり、ホルダー４４上の板バネ４９・５４によって、ＭＤ３０をホルダー４４内に押圧し、ＭＤ３０とホルダー４４との間で生じる摩擦力によって、ＭＤ３０をホルダー４４内に保持している。
【００２０】
ところが、上記摩擦力は、板バネ４９、５４の撓み量に依存するが、ＭＤ３０の厚みにバラツキがあれば、この撓み量が変化してしまい、摩擦力が不安定になってしまう。しかし、少なくともＭＤ３０を保持するに十分な摩擦力を得ようとして、撓み量を単に増加させるのでは、平均的な摩擦力の値が増大し、スプリング４６の張力を増加させなければならない。その結果、ＭＤ３０の挿入抵抗が増大して挿入感を損なう恐れがあり、摩擦力にはおのずと上限が生じる。また、上記のようにホルダー４４の矢印Ｂ′方向が下方向となった時には、ＭＤ３０が落下しないまでも、所定の記録再生位置からずれ易いといった問題もある。
【００２１】
本発明は、上記従来の問題点に鑑みなされたものであって、その目的は、簡単な構成で、ＭＤのような記録媒体の装着感を発生させるとともに、より安定的に記録媒体の保持が行える記録再生装置を提供することにある。
【００２２】
【課題を解決するための手段】
請求項１記載の発明の記録再生装置は、上記課題を解決するために、位置決め穴が形成された外殻部材を有する記録媒体を使用するとともに、記録再生装置本体に対して所定角度開成可能とされた記録媒体保持部材が設けられる一方、上記、記録媒体保持部材の内面に臨んで突出し、記録媒体保持部材が閉成されたときに記録媒体を記録媒体の厚み方向に押圧する付勢手段が設けられており、記録媒体保持部材を所定角度開成した挿入可能位置において、上記記録媒体が挿入可能となり、また、記録媒体が記録媒体保持部材に挿入されているとき、上記記録媒体保持部材の閉成によって、記録再生装置本体側に移動不可能に設けられた位置決め部材に上記位置決め穴が嵌入し、記録媒体が所定の記録再生位置に位置決め装填される記録再生装置において、上記挿入可能位置において、位置決め部材の先端が記録媒体保持部材の内面に突出状態にあり、かつ、上記記録媒体保持部材は記録媒体の厚み方向に対して、少なくとも上記位置決め部材先端の記録媒体保持部材の内面からの突出高さよりも大きな遊びを有するとともに、上記付勢手段の記録媒体への当接部と対向する記録媒体保持部材の内面との最短距離が、挿入される記録媒体の厚みよりも大きく、かつ、記録媒体の厚みと上記突出高さとの和より小さくなるように設定され、上記記録媒体保持部材への記録媒体の挿入過程にて、記録媒体が上記位置決め部材の先端に乗り上げているときには、上記付勢手段の当接部が記録媒体を押圧していることを特徴としている。
【００２３】
上記の構成によれば、記録媒体保持部材が挿入可能位置にあるときに記録媒体が挿入されると、挿入時に記録媒体が位置決め部材の先端と当接して、乗り上げたのち、位置決め穴が位置決め部材に嵌入するようになる。上記において、記録媒体の厚みと位置決め部材の先端が記録媒体保持部材の内面に突出する突出高さとの和は、上記当接部と対向する記録媒体保持部材の内面との最短距離より大きいので、記録媒体が位置決め部材の先端に乗り上げたときには、通常挿入可能位置においては記録媒体と当接しない付勢手段の当接部が記録媒体に当接し、押圧する。すなわち、記録媒体が位置決め部材の先端に乗り上げているときだけ、付勢手段が作用し、挿入抵抗が大きくなるので、簡単な構成で、ユーザは記録媒体の記録媒体保持部材への挿入完了を知ることができる。
【００２４】
また、記録媒体の記録媒体保持部材への挿入が完了した状態においては、記録再生装置の姿勢が何らかの要因で変わって、上記記録媒体の挿入方向と逆側が下にした方向となったときでも、既に上記位置決め部材の先端が記録媒体の位置決め穴に嵌入しており、上記位置決め穴から位置決め部材が抜けるためには、上記付勢手段の付勢力に抗して位置決め部材の先端に記録媒体を乗り上げさせる必要があるので、記録媒体が記録媒体保持部材から外れにくくなる。
【００２５】
請求項２記載の発明の記録再生装置は、上記課題を解決するために、記録媒体保持部材の開成を行うエジェクト手段が設けられるとともに、上記エジェクト手段の操作に連動して、上記最短距離が記録媒体の厚みと上記突出高さとの和より大きくなるように、上記当接部を移動させる押圧阻止手段が設けられていることを特徴としている。
【００２６】
上記の構成によれば、エジェクト手段の操作によって、記録媒体が上記位置決め部材の先端に乗り上げた状態でも、付勢手段による付勢力が作用しなくなるので、記録媒体を記録媒体保持部材から取り出す際の抵抗を小さくすることができる。
また、請求項３記載の発明の記録再生装置は、上記課題を解決するために、上記記録媒体保持部材が連動して開成するように蓋体を設け、該蓋体には、上記記録媒体を取り出す場合に、該記録媒体を掴みやすくするための切欠部が形成されていることを特徴としている。
【００２７】
【発明の実施の形態】
本発明に係る記録再生装置について、以下、２つの実施の形態を説明する。
なお、上記記録再生装置は、記録再生が可能な光磁気ディスクや再生専用の光ディスクからなる記録媒体をシェル内に格納した、いわゆるミニディスク（以下ＭＤと称する）と呼ばれる記録媒体の記録再生に用いるものであるので、まず、ＭＤの構成について簡単に説明しておく。
【００２８】
ＭＤ３０は、図１４に示すように、略直方体のシェル３１に光磁気ディスク３４（以下単にディスクと称する）が格納されている。このシェル３１は、記録再生装置への挿入方向の長さが７２ｍｍ、幅が６８ｍｍ、厚みが５ｍｍに設定されている。またシェル３１は、アッパーシェル３２とロアーシェル３３とから構成されており、アッパーシェル３２とロアーシェル３３との間にディスク３４が回転自在に格納されている。上記のロアーシェル３３側には、ディスク３４を駆動するターンテーブルの挿入口３３ａが設けられ、アッパーシェル３２とディスク３４との間には、ディスク３４をチャッキングするためのクランピングプレート３６が配設されている。
【００２９】
そして、挿入口３３ａを通してターンテーブルがディスク３４の中心穴３４ａに嵌入すると、ターンテーブル側に設けられた磁石とクランピングプレート３６とが互いに引付け合うことによって、ディスク３４が上記ターンテーブルに固定されることになる。上記構成により、記録再生装置内でシェル３１を固定しておけば、ディスク３４はアッパーシェル３２およびロアーシェル３３の内面に接触することなく回転駆動されるようになっている。
【００３０】
一方、前記シェル３１を挟むように略コの字状に形成されたシャッター３５はシェル３１に対して、矢印Ｐ−Ｑ方向に往復動可能に設けられている。このシャッター３５の摺動面として、シェル３１の両面、すなわち、アッパーシェル３２およびロアーシェル３３の外面側にはそれぞれシャッター移動用凹部３２ｈ・３３ｈが形成されている。また、図１５に示すように、シャッター３５に設けられた爪部３５ａ、３５ｂが嵌入するように、シェル３１にはアッパーシェル３２とロアーシェル３３との間に溝部３１ｂが形成されるとともに、シェル３１において溝部３１ｂと対向する側面にも良く似た形状の溝部３１ｃが形成されており、これら溝部３１ｂ・３１ｃはＭＤ３０を記録再生装置内にガイドするために利用される。
そして、ＭＤ３０に対して相対的にシャッター３５を矢印Ｐ方向にスライド移動させると、アッパーシェル３２に形成された窓部３２ｃとロアーシェル３３形成された窓部３３ｃが開口してディスク３４の両面が露出し、信号の記録再生が可能となる。上記シャッター３５の開閉に関しては記録再生装置側にその機構が設けられている。
【００３１】
また、シェル３１の下面側、つまり、ロアーシェル３３側には、記録再生装置に対してＭＤ３０の位置決めを行うために、ディスク面と平行の断面が真円状のガイド穴３３ａと、同様に断面が長穴状のガイド穴３３ｂとが設けられている。なお、上記では、光磁気ディスクを格納する記録再生が可能なＭＤ３０を説明しているが、光ディスクを格納する再生専用のＭＤの場合には、光ピックアップと対向する位置に磁気ヘッドを配置する必要がないため、ロアーシェル３３のみに窓部３３ｃが形成されている点を除いてシェル構造にはほとんど違いがなく、また、本実施の形態の説明に関係する形状については同一であるので、再生専用のＭＤの説明は省略する。
【００３２】
〔実施の形態１〕
本発明の一実施の形態について図１ないし図７に基づいて説明すれば、以下の通りである。
本実施の形態に係る記録再生装置１は、図１および図２に示すように、キャビネット３に対して、蓋体４を回動軸４ａを中心に矢印Ｉ−Ｊ方向に開閉可能に保持するとともに、蓋体４と連動して開成するホルダー５を設けたトップローディング機構が採用されており、従来例の図１６で示した記録再生装置４０と略同様の外観を有している。なお、以下の説明図の各矢印の方向については従来例の図１６で説明した方向と同様であり改めて説明することはしない。
【００３３】
上記記録再生装置１において、トップローディング機構を実現するための構成として、図１および図５に示すように、ＭＤ３０の前記ディスク３４を回転駆動するためのターンテーブル７の他、図示していない記録ヘッド、光ピックアップ、および光ピックアップを駆動する駆動機構等が配設されている基台６に対し、回動軸５ａ・５ａによって、矢印Ｉ−Ｊ方向に回動可能とされたホルダー５が設けられている。
上記ホルダー５は、記録再生装置１の記録再生位置にＭＤ３０を装填する際のガイドとなるべき構成であり、ＭＤ３０に対し、その厚み方向および幅方向にそれぞれ僅かな隙間をもって保持可能とすべく、矢印Ｅ方向側および矢印Ｆ方向側の両端を略コの字状に曲げた曲部５ｂ、５ｃ、５ｄが形成されており、この曲部５ｂ、５ｃ、５ｄによって挿入可能位置におけるＭＤ３０の保持を行っているが、記録再生位置においては、ＭＤ３０の矢印Ｄ方向への規制は後述の基台６によって行われており、曲部５ｂ、５ｃ、５ｄとは接しないものとなっている。
【００３４】
また、図３および図５に示すように、ホルダー５には、ＭＤ３０の挿入方向の後端側の矢印Ｆ方向側端部（図５）に、基台６に対してＭＤ３０の厚み方向の移動を規制する突起部５ｅが設けられ、図１に示すように、記録再生位置で基台６に対してホルダー５の矢印Ｊ方向への動きを規制する突起部５ｆが設けられている。さらに、前記蓋体４に設けられた吊上部４ｂによって吊持される曲部５ｇが設けられており、蓋体４の開成に連動してホルダー５が開成するようになっている。
【００３５】
その他に、図示していないが、前記ＭＤ３０のシャッター３５を、挿入完了時から記録再生位置の間、ＭＤ３０に対して開いた状態にて保持するとともに、ＭＤ３０の取り出し時には上記シャッター３５を閉じるシャッター開閉用バネが取り付けられ、前記ＭＤ３０の溝部３１ｂに嵌入する図示しないシャッター開閉突起が設けられている。
また、ホルダー５には記録再生位置において、ＭＤ３０を基台６方向に押圧すべく、突起部８ａ・９ａが形成された板バネ８・９が設けられている。
【００３６】
一方、基台６側には、図１に示すように、ガイド穴３３ａに嵌入するガイドピン６ｃと、ガイド穴３３ｂに嵌入するガイドピン６ｄとが設けられるとともに、記録再生位置において、ガイドピン６ｃ・６ｄの根元部分にＭＤ３０を受ける座部６ｅ・６ｅが設けられている。また、図３に示すように、記録再生位置において、ＭＤ３０を受ける受部６ｂ・６ｂが形成されている。
【００３７】
上記ガイドピン６ｃは、テーパ状の先端部を有する円筒状に形成されており、ガイド穴３３ａにガイドピン６ｃが嵌入した状態では、ＭＤ３０の矢印Ａ−Ｂ方向および矢印Ｅ−Ｆ方向の移動が規制されるようになっている。
また、ガイドピン６ｄは、先端に平面部６ｆが設けられ、その傾きが蓋体４の全開成時のホルダー５の傾きと略等しくなるように形成されるとともに、平面部６ｆの周囲には面取りが施されている。また、この平面部６ｆは、ＭＤ装填位置において、ホルダー５にＭＤ３０が挿入完了されたときのＭＤ３０の矢印Ｄ′方向側の面よりも矢印Ｃ′方向に僅かに突出しているが、ガイド穴３３ｂにガイドピン６ｄが嵌入した状態では、ガイド穴３３ｂが矢印Ａ−Ｂ方向に長穴とされているため、基台６に対してＭＤ３０の矢印Ｅ−Ｆ方向の移動のみが規制されるようになっている。
【００３８】
そして、上記ガイドピン６ｃ・６ｄの根元に設けられた座部６ｅ・６ｅと受部６ｂ・６ｂとによって、矢印Ｄ方向への移動が規制される。その結果、前記板バネ８・９による矢印Ｄ方向への押圧によって、図２および図４に示す記録再生位置における基台６に対するＭＤ３０の位置決めが行われることになる。
【００３９】
上記構成に基づいて、ＭＤ３０を記録再生装置１に装填するときのトップローディング機構の動作を以下に説明する。
まず、ホルダー５へのＭＤ３０の挿入開始から挿入完了までの過程において、図１に示すように、蓋体４はその回動軸４ａを中心に矢印Ｉ方向に開成し、図示しない規制部材等によってその開成角度が規制される一方、ホルダー５は、曲部５ｇが蓋体４の吊上部４ｂによって吊持されるとともに、蓋体４側に設けられた図示しない付勢手段によって矢印Ｊ方向に押圧され、蓋体４に対するホルダー５の遊びがない状態で所定の開成角度に保持されている。そして、ＭＤ３０がホルダー５に対して矢印Ａ′方向に挿入され、所定位置に装填される。
【００４０】
ここで、ホルダー５への挿入過程におけるＭＤ３０の動作を図７に基づいて説明する。
図７（ａ）に示すように、ＭＤ３０の挿入方向先端側（図の矢印Ａ′方向側）では、まず、ホルダー５がガイドピン６ｄに当接する。そして、図７（ｂ）に示すようにガイドピン６ｄの先端に形成された面取部から、平面部６ｆに乗り上げてさらに、ＭＤ３０が矢印Ａ′方向に挿入されることになる。
このとき、通常はホルダー５内において、ＭＤ３０に対して僅かに隙間を持って位置し、ＭＤ３０を矢印Ｄ′方向に付勢しない位置関係にある板バネ８の突起部８ａが、上記ＭＤ３０の乗り上げ状態によって、ＭＤ３０を矢印Ｄ′方向に付勢する一方、ＭＤ３０はホルダー５の曲部５ｃから浮いている状態にある。
【００４１】
そして、ＭＤ３０のホルダー５への挿入が完了すると、図７（ｃ）に示すように、ガイドピン６ｄの一部がＭＤ３０のガイド穴３３ｂに嵌入するとともに、上記突起部８ａとＭＤ３０とは僅かに隙間をもって押圧しない位置関係に復帰する。上記において、ＭＤ３０の挿入時に、ＭＤ３０先端部がガイドピン６ｄを乗り越えて、ガイド穴３３ｂにガイドピン６ｄが嵌入するまでの間に、上記乗り越え時に作用する板バネ８の付勢力によって、ＭＤ３０の挿入抵抗に落差が生じてクリック感が発生する。このクリック感によって、ユーザは、ＭＤ３０の挿入が完了したことを容易に認識することができる。
【００４２】
一方、上記ＭＤ３０の挿入開始から挿入完了位置までの問において、図３に示すように、ホルダー５の突起部５ｅは矢印Ｃ′方向にディスク３４の外形と僅かな隙間をもって位置し、板バネ９の突起部９ａは矢印Ｄ′方向にＭＤ３０に対して僅かに隙間を持って位置するが、ＭＤ３０を矢印Ｄ′方向に押圧しない位置関係となっており、基台６上の受部６ｂとＭＤ３０とは、ＭＤ３０の上記挿入過程において当接しないように形成されている。
【００４３】
また、ＭＤ３０を挿入可能位置から記録再生位置に移動させる際には、図１に示すホルダー５の開成状態から矢印Ｊ方向に蓋体４を押圧すればよく、蓋体４の吊上部４ｂの矢印Ｊ方向への回動に伴ってホルダー５も回動軸５ａを中心に矢印Ｊ方向に回動するようになっているので、蓋体４を閉じると、前記したように、ＭＤ３０のガイド穴３３ｂにはガイドピン６ｄの先端部が嵌入されているとともに、矢印Ａ′−Ｂ′方向に長穴形状とされているため、基台６に対するＭＤ３０の矢印Ｅ−Ｆ方向への移動がガイドピン６ｄによって規制される一方、ホルダー５の矢印Ｊ方向の回動と、ガイドピン６ｃの先端のテーパー部によって、ＭＤ３０のガイド穴３３ａにガイドピン６ｃが嵌入する。
【００４４】
このとき、図２に示すように、キャビネット３に対して蓋体４が完全に閉成された状態では、蓋体４側に設けられた図示しない付勢手段によってホルダー５が矢印Ｄ方向に押圧されるとともに、ホルダー５に設けられた突起部５ｆが基台６に当接する一方、ＭＤ３０は受部６ｂ・６ｂおよび座部６ｅ・６ｅにより矢印Ｄ方向への移動が規制されて、ホルダー５の曲部５ｂ、５ｃ、５ｄから僅かに浮いた状態に保持されることにより、板バネ８の突起部８ａが矢印Ｄ方向にＭＤ３０を押圧する。そして、図４に示すように、ホルダー５の突起部５ｅが矢印Ｃ方向にＭＤ３０を押圧するとともに、板バネ９の突起部９ａも矢印Ｄ方向にＭＤ３０を押圧する結果、ＭＤ３０が基台６に対して拘束され、記録再生位置に保持された状態となっている。また、上記蓋体４の閉成動作によって、図示しないディスクがターンテーブル７によってクランプされ、記録再生が行えるようになる。
【００４５】
次に、ＭＤ３０が記録再生位置にある状態からエジェクト操作を行った時の動作について以下に説明する。
図２に示す記録再生位置の状態から、エジェクト操作によるロック解除動作を行うと、図示しない付勢手段によって蓋体４は矢印Ｉ方向に開成し、上記のエジェクト動作が完了した状態では、図１に示すＭＤ装填位置にホルダー５が開成する。
なお、蓋体４には、ユーザがＭＤ３０を掴みやすくなるように切欠部４ｃが形成されているので、ＭＤ３０を装置から取り出す場合には、ホルダー５の矢印Ｂ′方向側の開口部の両端に露出しているＭＤ３０の両側部を指で挟んで、矢印Ｂ′方向にＭＤ３０を取り出せばよい。
【００４６】
以上のように、本実施の形態に係る記録再生装置１のトップローディング機構においては、ＭＤ３０を装填する場合に、非常に簡単な構成で挿入完了をユーザに知らせることができ、また、既存の部材を利用しているため、非常に安価なコストで製作可能である。
さらに、ホルダー５の挿入可能位置で、ＭＤ３０が挿入完了状態のときに、記録再生装置１の姿勢が変化しても、ガイドピン６ｄの先端部が上記ＭＤ３０のガイド穴３３ａに嵌入するとともに、上記板バネ８による矢印Ｄ′方向の付勢力が作用しているためＭＤ３０は非常に落下しにくくなっている。
また、上記の付勢力はガイドピン６ｄがガイド穴３３ｂに嵌入する直前のみ作用するので、ＭＤ３０の挿入開始時の矢印Ａ′方向への挿入力が小さく、挿入動作がスムーズに行え、さらに、挿入可能位置におけるＭＤ３０の位置決めがガイドピンによって行われているため記録再生位置に案内すべき位置が容易にずれるといった問題も生じない。
【００４７】
一方、ＭＤ３０の取り出し時の場合については、上記ホルダー５の形状を、ディスクの後端付近を露出させる等の形状にするとともに、エジェクト時における装置の蓋体４の開成角度をホルダー５の開成角度に対し大きくなるように構成することによって、エジェクト時におけるＭＤ３０の取り出しが容易に行えるようになっている。
上記のようなトップローディング機構の構成によって、全体の構造が非常に簡単になるとともに、かつ十分な機能を有しているため、記録再生装置１のコストを大幅に低減することができる。
【００４８】
〔実施の形態２〕
本発明の他の実施の形態を図８ないし図１３に基づいて説明すれば、以下のとおりである。なお、説明の便宜上、前記の実施の形態１の図面に示した部材と同一の機能を有する部材については、同一の符号を付し、その説明を省略する。
【００４９】
本実施の形態の記録再生装置１におけるトップローディング機構において、図８および図９に示すように、トップローディング機構の矢印Ｆ方向側にスライドレバー１０が設けられている。このスライドレバー１０には、矢印Ａ−Ｂ方向に長穴とされたガイド長穴１０ａ・１０ａが形成される一方、キャビネット３には、その矢印Ｆ方向の内面に突出するガイド部材３ｂ・３ｂが矢印Ａ−Ｂ方向に並んで設けられており、上記ガイド長穴１０ａ・１０ａにガイド部材３ｂ・３ｂがそれぞれ嵌入することにより、上記スライドレバー１０はキャビネット３に対して矢印Ａ−Ｂ方向にスライド自在に設けられている。そして、キャビネット３に設けられているバネ掛け３ｃと、上記スライドレバー１０のバネ掛け部１０ｂとの間に掛けられたスプリング１１によって、スライドレバー１０はキャビネット３に対して常時矢印Ａ方向に付勢力を受けている。
【００５０】
一方、上記スライドレバー１０の矢印Ｂ方向側の先端部に設けられた曲部１０ｃには、キャビネット３に対して矢印Ａ−Ｂ方向に所定範囲スライド可能に取り付けられたエジェクトつまみ１３に固定されており、エジェクトつまみ１３の矢印Ａ−Ｂ方向への動きに連動して、スライドレバー１０もエジェクトつまみ１３と一体的に矢印Ａ−Ｂ方向に移動するようになっている。このエジェクトつまみ１３は蓋体４の図示しないロック機構の解除手段ともなっている。
【００５１】
また、図８に示すように、上記スライドレバー１０には、後述する付勢解除レバー１２のピン１２ａを挟み、スライドレバー１０に対する該ピン１２ａの移動を矢印Ｃ−Ｄ方向に規制するスリット１０ｄが設けられている。
上記付勢解除レバー１２には、ホルダー５の矢印Ｆ方向側に設けられたガイドピン５ｈ・５ｈに嵌入するガイド長穴１２ｂ・１２ｂが形成されており、付勢解除レバー１２はホルダー５に対して、矢印Ａ′−Ｂ′方向にスライド自在にされている。そして、図９に示すように、付勢解除レバー１２の矢印Ｆ方向側にピン１２ａが形成され、前記スリット１０ｄに嵌入している。
【００５２】
また、付勢解除レバー１２の矢印Ｃ′方向側には、突出部１２ｃが設けられ、その先端側に矢印Ａ−Ｂ方向と所定の角度をもった面からなる傾斜部１２ｄが形成されるとともに、ホルダー５上の板バネ８には、ＭＤ３０に当接する突起部８ａの矢印Ｂ′方向側にＬ字型の一端部８ｂが上記傾斜部１２ｄに当接可能に設けられている。
上記において、付勢解除レバー１２を矢印Ｂ′方向に移動させると、一端部８ｂに傾斜部１２ｄが当接し、さらに付勢解除レバー１２を矢印Ｂ′方向に移動させると、図１０および図１１に示すように、傾斜部１２ｄが一端部８ｂを矢印Ｃ′方向に押し上げることになる。これにより、板バネ８全体が矢印Ｃ′方向に撓み、上記突起部８ａも矢印Ｃ方向に移動する。
【００５３】
上記構成に基づいて、トップローディング機構の動作を図８ないし図１３に基づいて以下に説明する。
図８および図９に示すように、ホルダー５の開成時、エジェクトつまみ１３を操作していない状態では、上記スライドレバー１０がスプリング１１の付勢力によって矢印Ａ方向に移動し、スライドレバー１０のガイド長穴１０ａ・１０ａの矢印Ｂ方向側内面とキャビネット３のガイド部材３ｂ・３ｂにそれぞれ当接した状態にある。
【００５４】
このとき、上記スライドレバー１０のスリット１０ｄが、ピン１２ａを矢印Ａ方向に押圧するが、付勢解除レバー１２の移動方向はホルダー５のガイドピン５ｈとガイド長穴１２ｂによって矢印Ａ′−Ｂ′方向に規制されているため、矢印Ａ′方向に移動し、傾斜部１２ｄは、板バネ８の一端部８ｂと当接しない状態となる。すなわち、突起部８ａはホルダー５に対して実施の形態１と同様の位置関係になっている。
その結果、ＭＤ３０がホルダー５内に挿入されるときに、ＭＤ３０のガイド穴３３ｂとガイドピン６ｄとの関係によって生じるクリック感が損なわれることなく、前述した実施の形態１と同一の機能を実現することができる。
【００５５】
また、上記の開成状態から、蓋体４を矢印Ｊ方向に付勢すると、ホルダー５は回動軸５ａを中心に矢印Ｊ方向に回動し、それに伴って、付勢解除レバー１２のピン１２ａが、上記スライドレバー１０のスリット１０ｄに対して、矢印Ｄ方向に下降する。このとき、ピン１２ａは多少矢印Ｂ方向に移動するが、完全に蓋体４が閉成された状態におけるその移動量に対して、上記一端部８ｂと傾斜部１２ｄとは当接しないように遊びが設けられており、図１２のホルダー５の閉成状態、すなわち、ＭＤ３０が記録再生位置に装填された状態に移行する。
【００５６】
そして、上記ホルダー５の閉成状態においては、スライドレバー１０はスプリング１１の付勢力によって、スライドレバー１０のガイド長穴１０ａの矢印Ｂ方向側内面がガイド部材３ｂに当接しており、また、エジェクトつまみ１３もキャビネット３に対して、矢印Ａ方向側に移動した状態となっている。また、このときスライドレバー１０のスリット１０ｄがピン１２ａを矢印Ａ方向に付勢するが、上記したようにエジェクトつまみ１３を操作しない状態では、傾斜部１２ｄと板バネ８の一端部８ｂとが当接しないため、上記板バネ８の突起部８ａの位置は、やはり前述した実施の形態１と同様の位置関係になっている。
したがって、ＭＤ３０がホルダー５内に挿入されている場合、板バネ８の突起部８ａが矢印Ｄ方向にＭＤ３０を押圧することになる。
【００５７】
一方、図１３に示すように、ホルダー５の閉成状態において、エジェクトつまみ１３を矢印Ｂ方向に移動させると、エジェクトつまみ１３の移動と一体的にスライドレバー１０も矢印Ｂ方向に移動する。スライドレバー１０の移動によって、スライドレバー１０のスリット１０ｄに嵌入するピン１２ａが矢印Ｂ方向に付勢され、付勢解除レバー１２も矢印Ｂ方向に移動する。
その結果、突出部１２ｃの傾斜部１２ｄが板バネ８の一端部８ｂに当接し、その傾斜によって、上記板バネ８の一端部８ｂを矢印Ｃ方向に押し上げ、さらに、ガイドピン５ｈとガイド用長穴１２ｂの矢印Ａ方向側内面とが当接して付勢解除レバー１２が停止する。つまり、エジェクトつまみ１３のスライド量は、上記のガイドピン５ｈとガイド用長穴１２ｂの当接によって設定されていることになる。このとき付勢解除レバー１２の突出部１２ｃの矢印Ｃ方向先端側に一端部８ｂが乗り上げた状態となる。これにより、板バネ８がホルダー５に対して、矢印Ｃ方向に撓んだ状態になっている。
【００５８】
すなわち、図１３に示すように、上記エジェクトつまみ１３を、矢印Ｂ方向に操作すると、ＭＤ３０の記録再生位置の状態（図１２）から、前記蓋体４が、図示しないロック機構の解除により、図示しない復帰手段によって矢印Ｉ方向に開成し、図１０に示すホルダー５の開成状態となる。
【００５９】
そして、蓋体４およびホルダー５が開成し、ＭＤ３０が挿入可能位置に移行したとき、図１０に示すように、エジェクトつまみ１３の矢印Ｂ方向への操作状態を保持している場合においては、図１３で示した上記板バネ８の一端部８ｂが突出部１２ｃの先端部に乗り上げた状態が保持されている。つまり、板バネ８の突起部８ａは、ホルダー５の内面から少なくとも矢印Ｃ′方向に撓んだ状態となっている。
したがって、ＭＤ３０を取り出す際に、上記のエジェクトつまみ１３を矢印Ｂ方向側に保持したままにしておけば、ＭＤ３０のガイド穴３３ｂからガイドピン６ｄが抜ける際に、ＭＤ３０が平面部６ｆ上を乗り越えるときでも、挿入時のクリック感を生じせしめるべく突起部８ａによってＭＤ３０を押圧する上記板バネ８が上記のように矢印Ｃ′方向に撓んでいるため、その付勢力がＭＤ３０に作用することがなく、ＭＤ３０をホルダー５から容易に取り出すことができる。
【００６０】
なお、上記では、いわゆるＭＤ３０を対象としたトップローディング機構に関して説明したが、前記したＭＤ３０と同様の構成（シェル構造と二つのガイド穴）を有していれば、他の記録媒体にも適用可能である。
【００６１】
【発明の効果】
請求項１記載の発明の記録再生装置は、以上のように、位置決め穴が形成された外殻部材を有する記録媒体を使用するとともに、記録再生装置本体に対して所定角度開成可能とされた記録媒体保持部材が設けられる一方、上記、記録媒体保持部材の内面に臨んで突出し、記録媒体保持部材が閉成されたときに記録媒体を記録媒体の厚み方向に押圧する付勢手段が設けられており、記録媒体保持部材を所定角度開成した挿入可能位置において、上記記録媒体が挿入可能となり、また、記録媒体が記録媒体保持部材に挿入されているとき、上記記録媒体保持部材の閉成によって、記録再生装置本体側に移動不可能に設けられた位置決め部材に上記位置決め穴が嵌入し、記録媒体が所定の記録再生位置に位置決め装填される記録再生装置において、上記挿入可能位置において、位置決め部材の先端が記録媒体保持部材の内面に突出状態にあり、かつ、上記記録媒体保持部材は記録媒体の厚み方向に対して、少なくとも上記位置決め部材先端の記録媒体保持部材の内面からの突出高さよりも大きな遊びを有するとともに、上記付勢手段の記録媒体への当接部と対向する記録媒体保持部材の内面との最短距離が、挿入される記録媒体の厚みよりも大きく、かつ、記録媒体の厚みと上記突出高さとの和より小さくなるように設定され、上記記録媒体保持部材への記録媒体の挿入過程にて、記録媒体が上記位置決め部材の先端に乗り上げているときには、上記付勢手段の当接部が記録媒体を押圧している構成である。
【００６２】
それゆえ、これにより、記録媒体保持部材が挿入可能位置にあるときに記録媒体を挿入すると、記録媒体が位置決め部材の先端と当接して、乗り上げたのち、位置決め穴が位置決め部材に嵌入するようになる。ところが、記録媒体の厚みと位置決め部材の先端が記録媒体保持部材の内面に突出する突出高さとの和は、上記当接部と対向する記録媒体保持部材の内面との最短距離より大きいので、記録媒体が位置決め部材の先端に乗り上げたときには、通常挿入可能位置においては記録媒体と当接しない付勢手段の当接部が記録媒体に当接し、押圧するようになる。すなわち、記録媒体が位置決め部材の先端に乗り上げているときだけ、付勢手段が作用し、挿入抵抗が大きくなるので、簡単な構成で、ユーザは記録媒体の記録媒体保持部材への挿入完了を知ることができる。
【００６３】
また、記録媒体の記録媒体保持部材への挿入が完了した状態においては、記録再生装置の姿勢が何らかの要因で変わって、上記記録媒体の挿入方向と逆側が下にした方向となったときでも、既に上記位置決め部材の先端が記録媒体の位置決め穴に嵌入しており、上記位置決め穴が位置決め部材から抜けるためには、上記付勢手段の付勢力に抗して位置決め部材の先端に記録媒体を乗り上げさせる必要があるので、記録媒体が記録媒体保持部材から外れにくくなるという効果を奏する。
【００６４】
請求項２記載の発明の記録再生装置は、以上のように、記録媒体保持部材の開成を行うエジェクト手段が設けられるとともに、上記エジェクト手段の操作に連動して、上記最短距離が記録媒体の厚みと上記突出高さとの和より大きくなるように、上記当接部を移動させる押圧阻止手段が設けられている構成である。
上記の構成によれば、エジェクト手段の操作によって、記録媒体が上記位置決め部材の先端に乗り上げた状態でも、付勢手段による付勢力が作用しなくなるので、記録媒体を記録媒体保持部材から取り出す際の抵抗が小さくなり、記録媒体の取り出しが容易に行えるようになるという効果を奏する。
請求項３記載の発明の記録再生装置は、以上のように、上記記録媒体保持部材が連動して開成するように蓋体を設け、該蓋体には、上記記録媒体を取り出す場合に、該記録媒体を掴みやすくするための切欠部が形成されている構成である。
【図面の簡単な説明】
【図１】本発明の実施の一形態に係る記録再生装置において、ホルダーがＭＤの挿入可能位置にあるときの側面からみた概略図である。
【図２】図１に示す記録再生装置において、ＭＤが記録再生位置にあるときの側面からみた概略図である。
【図３】図１に示す記録再生装置のトップローディング機構に係る主要部を図１の対向方向からの側面からみた概略図である。
【図４】図３に示すトップローディング機構に係る主要部をＭＤの挿入可能位置にあるときの側面からみた概略図である。
【図５】図３に示すトップローディング機構に係る主要部を矢印Ｄ′方向に見たときの概略図である。
【図６】図４に示すトップローディング機構に係る主要部を矢印Ｄ方向に見たときの概略図である。
【図７】上記トップローディング機構がホルダーの挿入可能位置にある場合に、ＭＤをホルダーに挿入したときのＭＤの保持動作を説明する部分拡大図である。
【図８】本発明の実施の他の形態に係る記録再生装置において、ホルダーがＭＤの挿入可能位置にあるときの側面からみた概略図である。
【図９】図８に示すトップローディング機構に係る主要部を矢印Ｄ方向に見たときの概略図である。
【図１０】図８に示す記録再生装置において、ホルダーがＭＤの挿入可能位置にあるときにエジェクトつまみを作動させたときの状態を示す概略図である。
【図１１】図１０に示すトップローディング機構に係る主要部を矢印Ｄ方向に見たときの概略図である。
【図１２】ＭＤが記録再生位置にあり、エジェクトつまみを作動させていない場合の各部の状態を説明する概略図である。
【図１３】ＭＤが記録再生位置にあり、エジェクトつまみを作動させた場合の各部の状態を説明する概略図である。
【図１４】記録再生が可能なＭＤの分解斜視図である。
【図１５】上記ＭＤの概略図である。
【図１６】一般的なトップローディング機構を有する携帯型の記録再生装置の概略斜視図である。
【図１７】従来の記録再生装置において、ホルダーがＭＤの挿入可能位置にあり、ＭＤの挿入が完了していないときの側面からみた概略図である。
【図１８】図１７に示す記録再生装置を矢印Ｄ′方向に見たときの主要部の概略図である。
【図１９】図１８に示す記録再生装置において、ＭＤの挿入が完了したときの主要部の概略図である。
【図２０】図１９に示す記録再生装置において、矢印Ｆ方向にみたときのトップローディング機構の主要部を示す概略図である。
【図２１】図２０に示すトップローディング機構において、ホルダーがＭＤの記録再生位置にあるときの状態を示す概略図である。
【図２２】従来例におけるＭＤ着脱時のロックレバーの動作の説明図である。
【図２３】図２２に示すロックレバーを矢印Ｆ方向にみたときの状態を示す概略図である。
【図２４】図２１に示すトップローディング機構の主要部が、ＭＤの記録再生位置にあるときの矢印Ｄ方向に見たときの状態を示す概略図である。
【図２５】トップローディング機構が図２４に示す状態にあるときに矢印Ｆ方向にみたときの記録再生装置を示す概略図である。
【符号の説明】
１    記録再生装置
３    キャビネット（筐体）
５    ホルダー（記録媒体保持部材）
６ｄ  ガイドピン（位置決め部材）
６ｆ  平面部（先端）
８    板バネ（付勢手段）
８ａ  突起部（当接部）
１０    スライドレバー（押圧阻止手段）
１２    付勢解除レバー（押圧阻止手段）
１２ｄ  傾斜部
１３    エジェクトつまみ（エジェクト手段）
３０    ＭＤ（記録媒体）
３１    シェル（外殻部材）
３３ｂ  ガイド穴（位置決め穴）
【図１】
0003658078.tif 000002
【図２】
0003658078.tif 000003
【図３】
0003658078.tif 000004
【図４】
0003658078.tif 000005
【図５】
0003658078.tif 000006
【図６】
0003658078.tif 000007
【図７】
0003658078.tif 000008
【図８】
0003658078.tif 000009
【図９】
0003658078.tif 000010
【図１０】
0003658078.tif 000011
【図１１】
0003658078.tif 000012
【図１２】
0003658078.tif 000013
【図１３】
0003658078.tif 000014
【図１４】
0003658078.tif 000015
【図１５】
0003658078.tif 000016
【図１６】
0003658078.tif 000017
【図１７】
0003658078.tif 000018
【図１８】
0003658078.tif 000019
【図１９】
0003658078.tif 000020
【図２０】
0003658078.tif 000021
【図２１】
0003658078.tif 000022
【図２２】
0003658078.tif 000023
【図２３】
0003658078.tif 000024
【図２４】
0003658078.tif 000025
【図２５】
0003658078.tif 000026